(57)【特許請求の範囲】
【請求項１】
作動力を加える操作側のレリーズと前記操作側のレリーズによる作動力を作動機構に伝達する作動側のレリーズのレリーズ用中継器であって、互いに対向して配置された一対の壁に互いに同一軸線となるように形成したそれぞれの取付孔の外側に配置した前記操作側のレリーズのレリーズ外筒の先端及び前記作動側のレリーズにおけるレリーズ外筒の基端に取り付けられた取付部材を介して前記壁の外面に固着されるとともに前記一対の壁の取付孔の内側に配置されている操作側のレリーズワイヤの先端と作動側のレリーズワイヤの基端とが接続部材を介して互いに連結されているレリーズ用中継器であって、前記接続部材は、前記操作側のレリーズのレリーズワイヤの中心軸および前記作動側のレリーズのレリーズワイヤの中心軸と同一線上にあって前記作動側のレリーズのレリーズワイヤの先端に連結される連結軸が筒状の外装体の内部に軸線方向に移動可能に配置されているとともに前記外装体に前記連結軸を作動方向に付勢する弾性体が配置されており、前記作動側のレリーズが作動していない常時は前記弾性体を圧縮状態で保持しており、前記操作側のレリーズのレリーズワイヤの中心軸が作動方向に進行した際に前記弾性体の圧縮状態を解除して前記作動側のレリーズのレリーズワイヤの中心軸に前記弾性体の付勢力を付与させることにより前記作動側のレリーズワイヤを作動方向に移動させる増力手段を備えていることを特徴とするレリーズ用中継器。
【請求項２】
前記接続部材の連結軸の先端側に前記作動側のレリーズのレリーズワイヤの先端の軸線方向の移動を前記連結軸に伝達する伝達機構が配置されており、前記伝達機構は前記操作側のレリーズのレリーズワイヤの中心軸および前記作動側のレリーズのレリーズワイヤの中心軸と同一線上にあって前記作動側のレリーズのレリーズワイヤの中心軸に連結される連結部材が外筒の内部に軸線方向に移動可能に配置された構成であることを特徴とする請求項１記載のレリーズ用中継器。
【請求項３】
前記増力手段が、前記筒状の外装体に軸線方向に摺動可能に内設されるとともに周壁に軸線に交差する方向に向けて形成される少なくとも一対の挿通孔が所定の軸線方向位置に対向して形成されている内筒と、前記内筒を作動方向に向け付勢するコイルばねからなる弾性体と、前記内筒に形成された挿通孔に嵌挿可能な直径を有するボールと、前記連結軸における外周面の所定の軸線方向位置に設置される前記操作側のレリーズのレリーズワイヤの中心軸方向に向けて縮閉する傾斜面からなる前記ボールの第１支持部と、前記外装体の内周面に形成された前記第１支持部が所定の軸線方向位置において前記挿通孔に連通するとともにほぼ直角な周壁を有する溝孔とからなり、前記作動側のレリーズが停止している常時は前記各挿通孔に配置した各ボールの一部を前記外装体に形成した溝孔と前記連結軸の前記第１支持部に連続して前記連結軸の外周面に形成された段付き溝状の第２支持部とに係合して前記弾性体を縮めた状態で保持されており、前記操作側のレリーズが作動して前記操作側のレリーズのレリーズワイヤの中心軸が前記連結軸を作動側へ押したときに前記連結軸が作動側方向へ押されて前記ボールが前記連結軸の前記第２支持部から前記第１支持部へと移動して前記外装体の内周面に形成した溝孔から瞬時に逸脱して前記ボール、内筒および連結軸とが一体的に且つ前記弾性体により増幅されて前記作動側のレリーズのレリーズワイヤの中心軸を押圧して増力することを特徴とする請求項１または２記載のレリーズ用中継器。
【発明の詳細な説明】
【技術分野】
【０００１】
本発明は、複数のレリーズを操作側から作動側へと連続して作動を中継するために用いられる中継器に関するものである。
【背景技術】
【０００２】
従来から、例えばカメラのシャッターや自動車の機械式クラッチやアクセルワイヤーのように、離れた箇所において押圧操作により作動部を作動させる手段としてレリーズが用いられている。
【０００３】
このようなレリーズは両端を開放したレリーズ外筒にレリーズワイヤをその基端と先端とを露出させた簡単な構成であり、動作も確実で比較的遠距離にも遠隔操作が可能であるという利点を有している。
【０００４】
しかしながら、レリーズは前述のように両端を開放したレリーズ外筒にレリーズワイヤをその基端と先端とを露出させた状態で嵌挿させたものであり、距離が伸びると自ずと摩擦抵抗が増えてしまうという問題があり、作動が十分に確保できない場合も生じることになる。
【０００５】
そこで、近頃は遠隔距離に拘わらず動作が確実な例えば電磁式の作動部を備えた電動レリーズが用いられるようになってきている。
【０００６】
ところが、例えば特開２０００−１０４８４３号公報に提示されているように地震時における電源供給の停止を考慮するような地震時において、貯蔵タンク、およびそれらの配管の管路を閉止する遮断弁機械的な感震機構と、その感知作動を伝えるレリーズ機構と、このレリーズ機構の作動を受けて作動する機械式の管路遮断弁機構とからなる対震自動遮断弁装置のように、地震により電気の供給が停止される機構では感震機構と管路遮断弁機構とが離れていてもレリーズ機構により感知作動を伝える必要がある。
【先行技術文献】
【特許文献】
【０００７】
【特許文献１】特開２０００−１０４８４３号公報
【発明の概要】
【発明が解決しようとする課題】
【０００８】
本発明は、上記のように遠距離に渡ってレリーズ機構を確実に作動させることを課題とするものである。
【課題を解決するための手段】
【０００９】
前記課題を解決するためになされた本発明は、作動力を加える操作側のレリーズと前記操作側のレリーズによる作動力を作動機構に伝達する作動側のレリーズのレリーズ用中継器であって、互いに対向して配置された一対の壁に互いに同一軸線となるように形成したそれぞれの取付孔の外側に配置した前記操作側のレリーズのレリーズ外筒の先端及び前記作動側のレリーズにおけるレリーズ外筒の基端に取り付けられた取付部材を介して前記壁の外面に固着されるとともに前記一対の壁の取付孔の内側に配置されている操作側のレリーズワイヤの先端と作動側のレリーズワイヤの基端とが接続部材を介して互いに連結されているレリーズ用中継器であって、前記接続部材は、前記操作側のレリーズのレリーズワイヤの中心軸および前記作動側のレリーズのレリーズワイヤの中心軸と同一線上にあって前記作動側のレリーズのレリーズワイヤの先端に連結される連結軸が筒状の外装体の内部に軸線方向に移動可能に配置されているとともに前記外装体に連結軸を作動方向に付勢する弾性体が配置されており、前記作動側のレリーズが作動していない常時は前記弾性体を圧縮状態で保持しており、前記操作側のレリーズのレリーズワイヤの中心軸が作動方向に進行した際に前記弾性体の圧縮状態を解除して前記作動側のレリーズのレリーズワイヤの中心軸に前記弾性体の付勢力を付与させることにより前記作動側のレリーズワイヤを作動方向に移動させる増力手段を備えていることを特徴とする。
【００１０】
また、本発明において、前記接続部材が、前記操作側のレリーズのレリーズワイヤの中心軸および前記作動側のレリーズのレリーズワイヤの中心軸と同一線上にあって前記作動側のレリーズのレリーズワイヤの先端に連結される連結軸が筒状の外装体の内部に軸線方向に移動可能に配置されているとともに前記外装体に連結軸を作動方向に付勢する弾性体が配置されており、前記作動側のレリーズが作動していない常時は前記弾性体を圧縮状態で保持しており前記作動側のレリーズが作動して前記操作側のレリーズのレリーズワイヤの中心軸が作動方向に進行した際に前記弾性体の圧縮状態を解除して前記作動側のレリーズのレリーズワイヤの中心軸に前記弾性体の付勢力を付与させることにより前記作動側のレリーズワイヤを作動方向に移動させる増力手段を備えていると好ましい。更に、前記接続部材の連結軸の先端側に前記作動側のレリーズのレリーズワイヤの先端の軸線方向の移動を前記連結軸に伝達する伝達機構が配置されており、前記伝達機構は前記操作側のレリーズのレリーズワイヤの中心軸および前記作動側のレリーズのレリーズワイヤの中心軸と同一線上にあって前記作動側のレリーズのレリーズワイヤの中心軸に連結される連結部材が外筒の内部に軸線方向に移動可能に配置された構成であるとよい。
【００１１】
更に、前記増力手段が、前記筒状の外装体に軸線方向に摺動可能に内設されるとともに周壁に軸線に交差する方向に向けて形成される少なくとも一対の挿通孔が所定の軸線方向位置に対向して形成されている内筒と、前記内筒を作動方向に向け付勢するコイルばねからなる弾性体と、前記内筒に形成された挿通孔に嵌挿可能な直径を有するボールと、前記連結軸における外周面の所定の軸線方向位置に設置される前記操作側のレリーズのレリーズワイヤの中心軸方向に向けて縮閉する傾斜面からなる前記ボールの第１支持部と、前記外装体の内周面に形成された前記第１支持部が所定の軸線方向位置において前記挿通孔に連通するとともにほぼ直角な周壁を有する溝孔とからなり、前記作動側のレリーズが停止している常時は前記各挿通孔に配置した各ボールの一部を前記外装体に形成した溝孔と前記連結軸の前記第１支持部に連続して前記連結軸の外周面に形成された段付き溝状の第２支持部とに係合して前記弾性体を縮めた状態で保持されており、前記操作側のレリーズが作動して前記操作側のレリーズのレリーズワイヤの中心軸が前記連結軸を作動側へ押したときに前記連結軸が作動側方向へ押されて前記ボールが前記連結軸の前記第２支持部から前記第１支持部へと移動して前記外装体の内周面に形成した溝孔から瞬時に逸脱して前記ボール、内筒および連結軸とが一体的に且つ前記弾性体により増幅されて前記作動側のレリーズのレリーズワイヤの中心軸を押圧して増力する構成であるとよい。
【発明の効果】
【００１２】
本発明によると、作動力を加える操作側のレリーズと前記操作側のレリーズによる作動力を作動機構に伝達する作動側のレリーズを順次連結することにより、遠距離においても確実にレリーズによる遠隔操作を行うことができる。
【００１３】
加えて、中継時に増力装置を用いることによりレリーズによる作動力を順次増加させて遠距離であっても作動を確実に行わせることができる。
【図面の簡単な説明】
【００１４】
【図１】本発明における好ましい実施の形態であるレリーズ用中継器の正面図。
【図２】図１に示した実施の形態の断面図。
【図３】図１に示した実施の形態の要部を示す拡大部分断面図であり、（ａ）は非作動時を、（ｂ）は作動時の状態を示す。
【発明を実施するための形態】
【００１５】
以下に、図面を参照しながら本発明を実施するための形態を説明する。
【００１６】
図面は本発明の好ましい実施の形態を示すものであり、本発明であるレリーズ用中継器１は、図１および図２に示すように、外部から作動力を加える操作側のレリーズ２と前記操作側のレリーズ２による作動力を作動機構Ｓに伝達する作動側のレリーズ３を接続するために使用されるものである。
【００１７】
そして、本実施の形態であるレリーズ用中継器１は、例えば全体が筺体４に収装されており、前記筺体４を形成する互いに対向して配置された例えば側壁を形成する一対の壁４１，４２に互いに同一軸線となるように形成したそれぞれの取付孔４３，４４の外側に配置した前記操作側のレリーズ２のレリーズ外筒２１の先端および作動側のレリーズ３のレリーズ外筒３１の基端がネジ状の取付部材２２，３２を介して前記壁４１，４２の外面に固着されている。
【００１８】
また、前記筺体４の内部では、前記一対の壁４１，４２の取付孔４３，４４の内側に配置されている操作側のレリーズ２のレリーズ外筒２１から突出しているレリーズワイヤ２３の先端と前記作動側のレリーズ３のレリーズ外筒３１から突出しているレリーズワイヤ３３の基端とが接続部材６により接続されている。
【００１９】
本実施の形態では、前記接続部材６は、前記操作側のレリーズ２のレリーズワイヤ２３と前記作動側のレリーズ３のレリーズワイヤ３３と同一線上にあって前記作動側のレリーズ３のレリーズワイヤ３３の先端に連結される連結軸６１が軸線方向に移動可能に配置されているとともに外装体６２に連結軸６１を作動側のレリーズ３のレリーズワイヤ３３方向に付勢する弾性体６３が配置されている。
【００２０】
また、本実施の形態では、前記連結軸６１の先端側には前記作動側のレリーズ３のレリーズワイヤ３３の先端の軸線方向の移動を前記連結軸６１に伝達する伝達機構５が配置されている。
【００２１】
前記伝達機構５は、前記壁４１と前記外装体６２との間に配置された外筒５１内に基端に前記操作側のレリーズ２のレリーズワイヤ２３の先端の保持部５２を有するとともに先端に前記連結軸６１の保持部５３を有して軸線方向に移動可能な連結部材５４が軸線方向に摺動可能に配置されている。
【００２２】
そして、前記接続部材６は、図３（ａ）に示した非作動状態では前記弾性体６３を圧縮状態で保持し、操作側のレリーズ２が作動した際に弾性体６３の圧縮状態を解除して前記作動側のレリーズ３におけるレリーズワイヤ３３に弾性体６３の付勢力を付与させる増力手段６４を備えている。
【００２３】
更に詳細に説明すると前記増力手段６４は、図３に示すように、筒状の外装体６２に軸線方向に摺動可能に内設されるとともにその外周壁６５に軸線に交差する方向に向けて形成される少なくとも一対の挿通孔６６，６６が所定の位置に互いに対向して形成されている内筒６７と、この内筒６７を作動側のレリーズワイヤ３３方向に向け付勢するコイルばねからなる弾性体６３と、内筒６７に形成された挿通孔６６，６６に嵌挿可能な直径を有する一対のボール６８，６８と、連結軸６１における外周面に設置される操作側のレリーズ２方向に向けて縮閉する傾斜面からなる前記ボール６８，６８の第１支持部７９，７９と、前記外周壁６５の内周面に形成された前記第１支持部７９，７９が所定の高さ位置において前記挿通孔６６，６６に連通するほぼ直角な周壁を有する溝孔７０，７０とからなり、非作動状態である常時は挿通孔６６，６６に配置した各ボール６８，６８の一部を前記外装体６２に形成した溝孔７０，７０と連結軸６１の前記第１支持部７９，７９に連続して前記作動側のレリーズワイヤ３３側の外周面に形成された段付き溝からなる第２支持部６９，６９とに係合して前記弾性体６３を縮めた状態で保持しており、前記操作側のレリーズ２が作動して連結軸６１を作動側のレリーズ３側へ押したときに連結軸６１が作動側のレリーズ３方向へ押されて前記ボール６８，６８が連結軸６１の第２支持部６９，６９から前記第１支持部７９，７９へと移動して前記ボール６８，６８と外装体６２の内周面に形成した溝孔７０，７０から瞬時に逸脱して前記ボール６８，６８、内筒６７および連結軸６１とが一体的に且つ前記弾性体６３により瞬時に作動して増幅された力で確実に作動側のレリーズ３のレリーズワイヤ３３を押圧して作動機構Ｓを作動させることができる。
【００２４】
尚、本実施の形態においては１つの操作側のレリーズ２と１つの作動側のレリーズ３とを接続する場合について使用するレリーズ用中継器１について示したが、本発明であるレリーズ用中継器１は、前記作動側レリーズ３におけるレリーズワイヤ３３の先端を前記操作側のレリーズワイヤ２３として作動側に更にもう１つのレリーズ （図示せず）を連結して使用可能である。従って、多数のレリーズを本発明のレリーズ用中継器を介して順次接続することでどのような遠距離においても使用可能であることは言うまでもなく、近距離であっても最終作動力を増力することができ、特に、電力を一切要しないので停電時でも使用できるのみならず、極めて安心で且つ経済的である。
【符号の説明】
【００２５】
１  レリーズ用中継器、２  （操作側の）レリーズ、３  （作動側の）レリーズ、４  筐体、５  伝達機構、６  接続部材、２１  レリーズ外筒、２２  取付部材、２３  レリーズワイヤ、３１  レリーズ外筒、３２  取付部材、３３  レリーズワイヤ、４１  壁、４２  壁、４３  取付孔、４４  取付孔、５１  外筒、５２  保持部、５３  保持部、５４  連結部材、６１  連結軸、６２  外装体、６３  弾性体、６４  増力手段、６５  外周壁、６６  挿通孔、６７  内筒、６８  ボール、６９  第２支持部、７０  溝孔、７９  第１支持部、Ｓ  作動機構
【図１】
0006608599.tif 000002
【図２】
0006608599.tif 000003
【図３】
0006608599.tif 000004